(57)【要約】【課題】ガイドレールの緩衝器台に対する取付位置を調整することができ、かつ緩衝器台をピット床面に容易に設置することができるエレベータの緩衝器台装置を得る。【解決手段】ピット床面には、所定の長さを持つ緩衝器台４が水平に配置される。緩衝器台４の端部には、緩衝器台に対する位置を上記緩衝器台の長さ方向へ調整可能な支持体５が設けられている。支持体５は、緩衝器台４の端部に被せられた支持体本体８と、支持体本体８に設けられ、ピット床面に対向する床取付部９と、支持体本体８に設けられ、ガイドレール１が取り付けられるレール取付部１０とを有している。緩衝器台４は、ピット床面に固定されたアンカボルト１８に床取付部９が固定されることにより、支持体５でピット床面に押さえられて固定される。【選択図】図４
2012001306.tif 000002
【特許請求の範囲】
【請求項１】
所定の長さを持ち、ピット床面に水平に配置される緩衝器台、
上記緩衝器台の端部に被せられた支持体本体と、上記支持体本体に設けられ、上記ピット床面に対向する床取付部と、上記支持体本体に設けられ、ガイドレールが取り付けられるレール取付部とを有し、上記緩衝器台に対する位置を上記緩衝器台の長さ方向へ調整可能な支持体、及び
アンカボルトを有し、上記ピット床面に固定された上記アンカボルトに上記床取付部を固定することにより、上記支持体で上記緩衝器台を上記ピット床面に押さえる固定装置
を備えていることを特徴とするエレベータの緩衝器台装置。
【請求項２】
床取付部が設けられ、所定の長さを持ち、上記ピット床面に水平に配置される緩衝器台、
上記緩衝器台の端部に被せられた支持体本体と、上記支持体本体に設けられ、ガイドレールが取り付けられるレール取付部とを有し、上記緩衝器台に対する位置を上記緩衝器台の長さ方向へ調整可能な支持体、
上記支持体を上記緩衝器台に固定する支持体止め装置、及び
アンカボルトを有し、上記ピット床面に固定された上記アンカボルトに上記床取付部を固定することにより、上記緩衝器台を上記ピット床面に固定する固定装置
を備えていることを特徴とするエレベータの緩衝器台装置。
【請求項３】
上記緩衝器台に螺合され、上記支持体に係合しながら回転されることにより、上記緩衝器台に対して上記支持体とともに上記緩衝器台の長さ方向へ変位される位置調整ボルトをさらに備え、
上記支持体の上記緩衝器台に対する位置は、上記位置調整ボルトの上記緩衝器台に対する螺合量の調整により調整されることを特徴とする請求項１又は請求項２に記載のエレベータの緩衝器台装置。
【請求項４】
上記緩衝器台には、上記支持体の上記緩衝器台に対する位置を読み取るための目盛りが設けられていることを特徴とする請求項１乃至請求項３のいずれか一項に記載のエレベータの緩衝器台装置。
【請求項５】
上記レール取付部には、上記ガイドレールを上記レール取付部に取り付けるための一対のレール取付用長穴が上記緩衝器台の幅方向について互いに離して設けられ、
各上記レール取付用長穴は、互いに近づく方向へ連続的に低くなるように水平面に対してそれぞれ傾斜していることを特徴とする請求項１乃至請求項４のいずれか一項に記載のエレベータの緩衝器台装置。
【発明の詳細な説明】
【技術分野】
【０００１】
この発明は、ピット床面に設置され、緩衝器を支持するエレベータの緩衝器台装置に関するものである。
【背景技術】
【０００２】
従来、例えばかごや釣合おもり等を案内する一対のガイドレールを昇降路内に設置するために、昇降路のピット部に設置された緩衝器台に各ガイドレールの下端部を取り付けるようにしたエレベータが知られている。緩衝器台は、各ガイドレールを個別に支持する一対の支持体と、各支持体間に水平に配置されるビームと、各支持体に固定され、ビームの側面に取り付けられるレールベースとを有している。ビームには、複数の位置調整用孔がビームの長さ方向について互いに間隔を置いて設けられている。レールベースは、位置調整用孔に通されたボルトによってビームに取り付けられている。各ガイドレール間の間隔は、ビームに対するレールベースの取り付け位置とビームの長さとにより決まる。また、緩衝器台は、緩衝器台をモルタル内に埋めた後、モルタルを固めることにより、昇降路のピット部に固定される（例えば特許文献１参照）。
【先行技術文献】
【特許文献】
【０００３】
【特許文献１】特開２００６−１２４０７６号公報
【発明の概要】
【発明が解決しようとする課題】
【０００４】
しかし、従来のエレベータでは、昇降路のピット部に緩衝器台を固定するために、緩衝器台をモルタル内に埋めて固めているので、多量のモルタルを昇降路のピット部に供給する必要がある。また、モルタルが固まるまでの乾燥の時間も必要になる。このことから、昇降路のピット部に緩衝器台を固定するための作業に大変手間がかかってしまう。
【０００５】
この発明は、上記のような課題を解決するためになされたものであり、ガイドレールの緩衝器台に対する取付位置を調整することができ、かつ緩衝器台をピット床面に容易に設置することができるエレベータの緩衝器台装置を得ることを目的とする。
【課題を解決するための手段】
【０００６】
この発明に係るエレベータの緩衝器台装置は、所定の長さを持ち、ピット床面に水平に配置される緩衝器台、緩衝器台の端部に被せられた支持体本体と、支持体本体に設けられ、ピット床面に対向する床取付部と、支持体本体に設けられ、ガイドレールが取り付けられるレール取付部とを有し、緩衝器台に対する位置を緩衝器台の長さ方向へ調整可能な支持体、及びアンカボルトを有し、ピット床面に固定されたアンカボルトに床取付部を固定することにより、支持体で緩衝器台をピット床面に押さえる固定装置を備えている。
【０００７】
また、この発明に係るエレベータの緩衝器台装置は、床取付部が設けられ、所定の長さを持ち、ピット床面に水平に配置される緩衝器台、緩衝器台の端部に被せられた支持体本体と、支持体本体に設けられ、ガイドレールが取り付けられるレール取付部とを有し、緩衝器台に対する位置を緩衝器台の長さ方向へ調整可能な支持体、支持体を緩衝器台に固定する支持体止め装置、及びアンカボルトを有し、ピット床面に固定されたアンカボルトに床取付部を固定することにより、緩衝器台をピット床面に固定する固定装置を備えている。
【発明の効果】
【０００８】
この発明に係るエレベータの緩衝器台装置では、緩衝器台の端部に設けられた支持体が支持体本体、床取付部及びレール取付部を有し、アンカボルトを有する固定装置によって支持体の床取付部がピット床面に固定されるので、緩衝器台をピット床面に支持体で押さえて固定することができる。従って、昇降路のピット部内に多量のモルタルを供給する必要がなくなり、ピット床面に固定されたアンカボルトに支持体を固定するだけで、緩衝器台をピット床面に設置することができる。また、支持体及び緩衝器台のそれぞれを固定する作業を共通化することができる。従って、緩衝器台をピット床面に容易に設置することができる。また、支持体の緩衝器台に対する位置が調整可能になっているので、ガイドレールの緩衝器台に対する取付位置を調整することができる。
【０００９】
また、この発明に係るエレベータの緩衝器台装置では、緩衝器台に設けられた床取付部が、アンカボルトを有する固定装置によってピット床面に固定されるので、緩衝器台をモルタルに埋める必要がなくなり、緩衝器台をピット床面に容易に設置することができる。また、支持体の緩衝器台に対する位置が調整可能になっているので、ガイドレールの緩衝器台に対する取付位置を調整することができる。
【図面の簡単な説明】
【００１０】
【図１】この発明の実施の形態１によるエレベータの緩衝器台装置にガイドレールが取り付けられた状態を示す斜視図である。
【図２】図１の緩衝器台装置の一部を示す正面図である。
【図３】図２の緩衝器台装置を示す側面図である。
【図４】図１の緩衝器台装置からガイドレールが取り外された状態を示す要部斜視図である。
【図５】図４の緩衝器台装置を示す分解斜視図である。
【図６】図５の緩衝器台装置を示す側面図である。
【図７】この発明の実施の形態１によるエレベータの緩衝器台装置の支持体の他の例を示す斜視図である。
【図８】この発明の実施の形態２によるエレベータの緩衝器台装置を示す要部斜視図である。
【図９】図８の緩衝器台装置を示す分解斜視図である。
【図１０】図８の緩衝器台装置にガイドレールが取り付けられた状態を示す要部正面図である。
【図１１】図１０の緩衝器台装置を示す側面図である。
【図１２】図９の調整ボルトを示す拡大図である。
【発明を実施するための形態】
【００１１】
実施の形態１．
図１は、この発明の実施の形態１によるエレベータの緩衝器台装置にガイドレールが取り付けられた状態を示す斜視図である。また、図２は図１の緩衝器台装置の一部を示す正面図、図３は図２の緩衝器台装置を示す側面図である。図において、昇降路内には、水平方向について互いに対向する一対のガイドレール１が上下方向に沿ってそれぞれ配置されている。各ガイドレール１間には、図示しないが、昇降体（例えばかごや釣合おもり等）が配置されている。昇降体は、各ガイドレール１に案内されながら上下方向へ移動される。昇降体には、潤滑油を各ガイドレール１に供給する給油装置（図示せず）が搭載されている。
【００１２】
昇降路のピット部には、昇降体の下方に配置された緩衝器２と、緩衝器２を支持する緩衝器台装置３とが設けられている。緩衝器２は、昇降体が落下したときに、昇降体から受ける衝突力を吸収して昇降体に対する衝撃を和らげる。
【００１３】
緩衝器台装置３は、所定の長さを持ち昇降路のピット床面に水平に配置される緩衝器台４と、緩衝器台４の長さ方向両端部にそれぞれ設けられ、各ガイドレール１を個別に支持する一対の支持体５と、各支持体５をピット床面に固定する複数の固定装置６とを有している。
【００１４】
緩衝器台４は、各ガイドレール１が対向する方向に沿って配置されている。緩衝器台４の長さは、各ガイドレール１間の間隔に基づいて設定されている。緩衝器２は、緩衝器台４の長さ方向中央部に複数のボルト７で取り付けられている。
【００１５】
支持体５は、緩衝器台４の端部に被せられた支持体本体８と、支持体本体８に設けられ、昇降路のピット床面に対向する一対の床取付部９と、支持体本体８に立てて設けられ、ガイドレール１の下端部が取り付けられる板状のレール取付部１０とを有している。支持体本体８、各床取付部９及びレール取付部１０は、一体となっている。
【００１６】
ガイドレール１の下端部は、レール取付部１０に取り付けられている状態で、支持体本体８の上方に配置されている。ガイドレール１の下面と支持体本体８の上面との間には、ガイドレール１から流れ落ちる潤滑油を受ける油受け１１が介在している。
【００１７】
また、ガイドレール１の下端部は、ガイドレール１の幅方向両端部（両側部）にそれぞれ配置された一対のクリップ装置１２によりレール取付部１０に取り付けられている。クリップ装置１２は、レール取付部１０との間でガイドレール１を挟むクリップ１３と、クリップ１３及びレール取付部１０によりガイドレール１を挟んだ状態でクリップ１３及びレール取付部１０を締め付けるレール取付ボルト１４及びレール取付ナット１５とを有している。
【００１８】
ここで、図４は、図１の緩衝器台装置３からガイドレール１が取り外された状態を示す要部斜視図である。また、図５は図４の緩衝器台装置３を示す分解斜視図、図６は図５の緩衝器台装置３を示す側面図である。支持体本体８は、緩衝器台４の上面に沿った上板部８ａと、上板部８ａから緩衝器台４の側面に沿って突出し、緩衝器台４の幅方向（即ち、緩衝器台４の長さ方向に対して垂直な水平方向）について互いに対向する一対の側板部８ｂとを有している。
【００１９】
各床取付部９は、支持体本体８の側板部８ｂから緩衝器台４の幅方向外側へそれぞれ突出している。この例では、支持体本体８及び各床取付部９は一枚の金属板を曲げ加工することにより形成されている。各床取付部９には、緩衝器台４の長さ方向に沿った床固定用長穴１６がそれぞれ設けられている。
【００２０】
レール取付部１０は、緩衝器台４の長さ方向に沿った直線に対して垂直に配置されている。この例では、レール取付部１０は支持体本体８及び各床取付部９に溶接等により接合されている。レール取付部１０には、一対のレール取付用長穴１７が緩衝器台４の幅方向について互いに離して設けられている。
【００２１】
各レール取付用長穴１７は、互いに近づく方向へ連続的に低くなるように水平面に対してそれぞれ傾斜している。この例では、上下方向に沿った基準線が各レール取付用長穴１７間に設定され、基準線に向かって連続的に低くなるようにそれぞれ傾斜された各レール取付用長穴１７が基準線に関して対称位置に配置されている。各レール取付用長穴１７の互いに近い側の端部間の距離はガイドレール１の幅寸法よりも小さくなっており、各レール取付用長穴１７の互いに離れた側の端部間の距離はガイドレール１の幅寸法よりも大きくなっている。
【００２２】
各レール取付用長穴１７には、図１〜図３に示すように、レール取付ボルト１４がそれぞれ通される。レール取付ボルト１４は、レール取付用長穴１７に通されている状態で、レール取付用長穴１７に沿ってスライド可能になっている。また、ガイドレール１は、各レール取付ボルト１４間に配置される。従って、各レール取付用長穴１７に通されたレール取付ボルト１４は、レール取付ボルト１４の自重によってガイドレール１の側部に接触しながらレール取付部１０にそれぞれ支持される。
【００２３】
レール取付ナット１５は、クリップ１３及びレール取付用長穴１７の順に通されたレール取付ボルト１４に螺合される。ガイドレール１の下端部は、レール取付ボルト１４の頭部とレール取付ナット１５との間でクリップ１３、ガイドレール１の側部及びレール取付部１０が締め付けられることにより、レール取付部１０に対して固定される。
【００２４】
支持体５の緩衝器台４に対する位置は、支持体本体８が緩衝器台４に案内されることにより、緩衝器台４の長さ方向へ調整可能になっている。
【００２５】
固定装置６は、ねじ部１８ａを有するアンカボルト１８と、アンカボルト１８のねじ部１８ａに螺合される固定ナット１９とを有している。
【００２６】
アンカボルト１８は、ピット床面に設けられた穴内に打ち込まれることにより、ピット床面からねじ部１８ａが突出した状態でピット床面に固定される。支持体５は、アンカボルト１８のねじ部１８ａが床固定用長穴１６に通された状態で、緩衝器台４の端部に設けられている。従って、支持体５のアンカボルト１８に対する位置は、床固定用長穴１６の長さの範囲内において、緩衝器台４の長さ方向へ調整可能になっている。
【００２７】
固定ナット１９は、床固定用長穴１６に通されたねじ部１８ａに螺合されている。床取付部９は、固定ナット１９がねじ部１８ａに締め付けられることにより、アンカボルト１８に固定され、ピット床面に対して固定される。緩衝器台４は、ピット床面に固定されたアンカボルト１８に床取付部９が固定されることにより、支持体５によってピット床面に押さえられる。これにより、緩衝器台４がピット床面に固定される。
【００２８】
緩衝器台４には、緩衝器台４の長さ方向についての中心位置を示す中心位置目印２０と、各支持体５の緩衝器台４に対する位置をそれぞれ読み取るための目盛り２１とが設けられている。支持体５の緩衝器台４に対する位置は、支持体本体８の目盛り２１に重なる位置によって読み取られる。
【００２９】
次に、緩衝器台装置３を昇降路のピット床面に設置するときの手順について説明する。ピット床面には、緩衝器台装置３を設置する位置を特定するための基準線があらかじめ引かれている。緩衝器台装置３をピット床面に設置するときには、まず緩衝器台４をピット床面に水平に配置する。このとき、中心位置目印２０がピット床面の基準線に合うように緩衝器台４の位置を調整する。
【００３０】
この後、各ガイドレール１の位置に合うように各支持体５を緩衝器台４の両端部にそれぞれ配置し、床固定用長穴１６の位置に基づいてアンカボルト１８を固定する位置を決める。この後、各支持体５を緩衝器台４から一旦外し、ピット床面のアンカボルト１８を固定する位置にドリルによって穴をあける。この後、ピット床面にドリルで設けた穴内にアンカボルト１８を打ち込み、アンカボルト１８をピット床面に固定する。
【００３１】
この後、アンカボルト１８のねじ部１８ａを床固定用長穴１６に通しながら、各支持体５を緩衝器台４の両端部に再び配置する。このとき、目盛り２１を見ながら、各支持体５の緩衝器台４に対する位置を調整する。この後、アンカボルト１８のねじ部１８ａに固定ナット１９を螺合し、軽く仮締めする。
【００３２】
この後、ガイドレール１の下端部を各クリップ装置１２によってレール取付部１０に取り付ける。即ち、レール取付部１０とクリップ１３との間でガイドレール１を挟んだ状態で、クリップ１３に通されたレール取付ボルト１４をレール取付用長穴１７に通す。この後、レール取付ボルト１４にレール取付ナット１５を螺合して締め付ける。これにより、ガイドレール１の下端部がレール取付部１０に取り付けられる。
【００３３】
この後、各ガイドレール１間の距離を例えばメジャー等の測定具により確認する。このとき、各ガイドレール１間の距離が所望の距離になっている場合には、固定ナット１９を締め付けて、各支持体５のアンカボルト１８に対する固定を完了する。各ガイドレール１間の距離が所望の距離からずれている場合には、固定ナット１９を緩めて、各支持体５を緩衝器台４に対してずらしながら、各支持体５の緩衝器台４に対する位置を調整した後、固定ナット１９を締め付けて、各支持体５のアンカボルト１８に対する固定を完了する。
【００３４】
緩衝器台４は、各支持体５がアンカボルト１８に固定されることにより、ピット床面に押し付けられてピット床面に固定される。
【００３５】
このようなエレベータの緩衝器台装置３では、緩衝器台４の端部に設けられた支持体５が支持体本体８、床取付部９及びレール取付部１０を有し、アンカボルト１８を有する固定装置６によって支持体５の床取付部９がピット床面に固定されるので、緩衝器台４をピット床面に支持体５で押さえて固定することができる。従って、昇降路のピット部内に多量のモルタルを供給する必要もなくなり、ピット床面に固定されたアンカボルト１８に支持体５を固定するだけで、緩衝器台４をピット床面に設置することができる。また、床取付部９をピット床面に固定するだけで、緩衝器台４も固定することができるので、支持体５及び緩衝器台４のそれぞれを固定する作業を共通化することができる。従って、緩衝器台４をピット床面に容易に設置することができる。また、支持体５の緩衝器台４に対する位置が調整可能になっているので、ガイドレール１の緩衝器台４に対する取付位置を調整することができる。
【００３６】
また、支持体本体８、床取付部９及びレール取付部１０は、一体となっているので、部品点数を減らすことができ、コストの低減を図ることができる。
【００３７】
また、緩衝器台４には、支持体５の緩衝器台４に対する位置を読み取るための目盛り２１が設けられているので、支持体５の緩衝器台４に対する位置の調整を容易にすることができる。
【００３８】
また、レール取付部１０には、一対のレール取付用長穴１７が緩衝器台４の幅方向について互いに離して設けられ、各レール取付用長穴１７が、互いに近づく方向へ連続的に低くなるように水平面に対してそれぞれ傾斜しているので、レール取付ナット１５を緩めた状態では、レール取付ボルト１４がガイドレール１に接した状態をレール取付ボルト１４の自重により維持させることができる。これにより、レール取付部１０にガイドレール１をより確実に固定することができる。また、レール取付ボルト１４をレール取付用長穴１７内でスライドさせることにより、ガイドレール１の幅方向についてのレール取付ボルト１４の位置をレール取付部１０に対して変えることができるので、幅方向についての寸法が異なるガイドレール１であっても、レール取付部１０に容易に取り付けることができる。
【００３９】
なお、上記の例では、支持体本体８及び各床取付部９が一枚の金属板を曲げ加工することにより形成され、レール取付部１０が支持体本体８及び各床取付部９に溶接等により接合されているが、支持体本体８、各床取付部９及びレール取付部１０のすべてを一枚の金属板の曲げ加工により形成してもよいし、支持体本体８、各床取付部９及びレール取付部１０のそれぞれを個別に作製した後、支持体本体８、各床取付部９及びレール取付部１０を互いに溶接等により接合するようにしてもよい。支持体本体８、各床取付部９及びレール取付部１０のすべてを一枚の金属板の曲げ加工により形成する場合、図７に示すように、レール取付部１０が支持体本体８の上板部８ａのみに設けられる。
【００４０】
実施の形態２．
図８は、この発明の実施の形態２によるエレベータの緩衝器台装置を示す要部斜視図である。また、図９は、図８の緩衝器台装置を示す分解斜視図である。さらに、図１０は図８の緩衝器台装置にガイドレールが取り付けられた状態を示す要部正面図、図１１は図１０の緩衝器台装置を示す側面図である。図において、緩衝器台４には、緩衝器台４の幅方向に沿って配置された床固定用取付板３１が固定されている。床固定用取付板３１は、緩衝器台４の幅方向外側へ緩衝器台４から突出する一対の床取付部３１ａを有している。各床取付部３１ａには、丸穴である床固定用穴３２がそれぞれ設けられている。緩衝器台４は、固定装置６によりピット床面に固定される。
【００４１】
固定装置６は、ねじ部１８ａを有するアンカボルト１８と、アンカボルト１８のねじ部１８ａに螺合される固定ナット１９とを有している。
【００４２】
アンカボルト１８は、ピット床面に設けられた穴内に打ち込まれることにより、ピット床面からねじ部１８ａが突出した状態でピット床面に固定される。緩衝器台４は、アンカボルト１８のねじ部１８ａが床固定用穴３２に通された状態で、ピット床面に配置される。
【００４３】
固定ナット１９は、床固定用穴３２に通されたねじ部１８ａに螺合されている。床取付部３１ａは、固定ナット１９がねじ部１８ａに締め付けられることにより、アンカボルト１８に固定され、ピット床面に対して固定される。緩衝器台４は、ピット床面に固定されたアンカボルト１８に床取付部３１ａが固定されることにより、ピット床面に固定される。
【００４４】
支持体５は、緩衝器台４の端部に被せられた支持体本体８と、支持体本体８に立てて設けられ、ガイドレール１の下端部が取り付けられる板状のレール取付部１０とを有しているが、実施の形態１のような一対の床取付部９は有していない。支持体本体８及びレール取付部１０は一体となっている。この例では、レール取付部１０が溶接等により支持体本体８に接合されている。支持体５の緩衝器台４に対する位置は、支持体本体８が緩衝器台４に案内されることにより、緩衝器台４の長さ方向へ調整可能になっている。
【００４５】
支持体本体８は、緩衝器台４の上面に沿った上板部８ａと、上板部８ａから緩衝器台４の側面に沿って突出し、緩衝器台４の幅方向について互いに対向する一対の側板部８ｂとを有している。
【００４６】
各側板部８ｂには、緩衝器台４の長さ方向に沿った位置調整用長穴３３がそれぞれ設けられている。緩衝器台４の両側面には、図９に示すように、ねじ穴３４が設けられている。ねじ穴３４には、位置調整用長穴３３に通された支持体止めボルト（支持体止め装置）３５が螺合されている。支持体５は、支持体止めボルト３５が締め付けられることにより、緩衝器台４に固定される。
【００４７】
緩衝器台４の長さ方向端部には、ねじ穴３６が設けられた折り曲げ部３７が設けられている。レール取付部１０には、ボルト通し穴３８が設けられている。折り曲げ部３７のねじ穴３６には、ボルト通し穴３８に通された調整ボルト３９が螺合されている。調整ボルト３９は、緩衝器台４の長さ方向に沿って配置されている。また、調整ボルト３９は、回転しながらねじ穴３６に対する螺合量を変化させることにより、緩衝器台４の長さ方向へ緩衝器台４に対して変位される。即ち、調整ボルト３９は、緩衝器台４に対する螺合量の変化により、緩衝器台４の長さ方向へ緩衝器台４に対して変位される。
【００４８】
ここで、図１２は、図９の調整ボルト３９を示す拡大図である。調整ボルト３９の軸部には、溝４０が周方向に形成されている。溝４０には、Ｃ型止め輪４１が嵌められている。調整ボルト３９の頭部とレール取付部１０との間には、調整ボルト３９に通されたワッシャ４２が介在している。溝４０に嵌められたＣ型止め輪４１は、調整ボルト３９がボルト通し穴３８に通された状態で、レール取付部１０の緩衝器台４側の位置に配置されている。
【００４９】
調整ボルト３９は、緩衝器台４に近づく方向についてワッシャ４２を介してレール取付部１０に係合し、緩衝器台４から離れる方向についてＣ型止め輪４１を介してレール取付部１０に係合している。これにより、調整ボルト３９は、ボルト通し穴３８に通された状態で、レール取付部１０に係合しながら回転されることにより、緩衝器台４に対して支持体５とともに緩衝器台４の長さ方向へ変位される。支持体５の緩衝器台４に対する位置は、調整ボルト３９のねじ穴３６に対する螺合量（即ち、調整ボルト３９の緩衝器台４に対する螺合量）の調整により調整される。
【００５０】
なお、調整ボルト３９は、ワッシャ４２が通された状態で、ボルト通し穴３８に通された後、ねじ穴３６に螺合される。また、Ｃ型止め輪４１は、調整ボルト３９がボルト通し穴３８に通された状態で、溝４０に嵌められる。他の構成は実施の形態１と同様である。
【００５１】
次に、緩衝器台装置３を昇降路のピット床面に設置するときの手順について説明する。まず、中心位置目印２０をピット床面の基準線に合わせながら、緩衝器台４をピット床面に水平に配置する。この後、床固定用穴３２の位置に基づいてアンカボルト１８を固定する位置を決める。この後、緩衝器台４を一旦移動させて、ピット床面のアンカボルト１８を固定する位置にドリルによって穴をあける。この後、ピット床面にドリルで設けた穴内にアンカボルト１８を打ち込み、アンカボルト１８をピット床面に固定する。
【００５２】
この後、アンカボルト１８のねじ部１８ａを床固定用穴３２に通しながら、緩衝器台４をピット床面に配置する。この後、アンカボルト１８のねじ部１８ａに固定ナット１９を螺合して締め付ける。これにより、緩衝器台４がピット床面に固定される。
【００５３】
この後、各支持体止めボルト３５を緩めた後、目盛り２１を見ながら調整ボルト３９を回すことにより、調整ボルト３９のねじ穴３６に対する螺合量を調整する。これにより、支持体５が緩衝器台４の長さ方向へ変位され、支持体５の緩衝器台４に対する位置が調整される。この後、各支持体止めボルト３５を締め付けて、支持体５を緩衝器台４に固定する。
【００５４】
なお、ガイドレール１の下端部をレール取付部１０に取り付ける手順は、実施の形態１と同様である。
【００５５】
このようなエレベータの緩衝器台装置３では、緩衝器台４に設けられた床取付部３１ａが、アンカボルト１８を有する固定装置６によってピット床面に固定されるので、緩衝器台４をモルタルに埋める必要がなくなり、緩衝器台４をピット床面に容易に設置することができる。また、支持体５の緩衝器台４に対する位置が調整可能になっているので、ガイドレール１の緩衝器台４に対する取付位置を調整することができる。
【００５６】
また、緩衝器台４に螺合された調整ボルト３９が、支持体５に係合しながら回転されることにより、緩衝器台４に対して支持体５とともに緩衝器台４の長さ方向へ変位されるので、支持体５の緩衝器台４に対する位置を、調整ボルト３９を回すだけで容易にかつより正確に調整することができる。
【００５７】
なお、上記の例では、支持体５の緩衝器台４に対する位置を調整するための調整ボルト３９が緩衝器台４に螺合されているが、支持体５が緩衝器台４に対して緩衝器台４の長さ方向へ変位可能になっているので、調整ボルト３９はなくてもよい。
【００５８】
また、調整ボルト３９を緩衝器台装置３に設けない場合、レール取付部１０及び支持体本体８を一枚の金属板の曲げ加工により形成することもできる。この場合、レール取付部１０は支持体本体８の上板部８ａのみに設けられる。
【００５９】
また、各上記実施の形態では、各レール取付用長穴１７が水平面に対して傾斜しているが、レール取付部１０に各レール取付用長穴１７を水平に設けてもよい。
【００６０】
また、実施の形態１では、実施の形態２のような調整ボルト３９による位置調整機構が緩衝器台装置３に設けられていないが、調整ボルト３９による位置調整機構を実施の形態１の緩衝器台装置３に設けてもよい。この場合、レール取付部１０には、調整ボルト３９が通されるボルト通し穴が設けられ、緩衝器台４の端部には、調整ボルト３９が螺合されるねじ穴が設けられた折り曲げ部が設けられる。
【符号の説明】
【００６１】
１  ガイドレール、４  緩衝器台、５  支持体、６  固定装置、８  支持体本体、９  床取付部、１０  レール取付部、１７  レール取付用長穴、１８  アンカボルト、２１  目盛り、３１ａ  床取付部、３５  支持体止めボルト（支持体止め装置）、３９  調整ボルト。
【図１】
2012001306.tif 000003
【図２】
2012001306.tif 000004
【図３】
2012001306.tif 000005
【図４】
2012001306.tif 000006
【図５】
2012001306.tif 000007
【図６】
2012001306.tif 000008
【図７】
2012001306.tif 000009
【図８】
2012001306.tif 000010
【図９】
2012001306.tif 000011
【図１０】
2012001306.tif 000012
【図１１】
2012001306.tif 000013
【図１２】
2012001306.tif 000014